(57)【要約】【課題】  システム内にシステム連携設計に関するノウハウを保持し、連携するシステムの特徴量をユーザが入力する手段を提供することで、システム連携設計における属人性を廃し、低コストで安定した情報システム拡張設計を行うことが可能な技術を提供する。【解決手段】  情報システムのシステム連携方式を評価する情報システム連携方式評価方法において、システム拡張のシナリオとしてシステム拡張時のシステム連携方式を示すデータオブジェクトを記憶装置により格納してシナリオツリーを作成し、前記シナリオツリー中のデータオブジェクトに示されたシステム連携方式でシステム拡張を行った場合の影響度評価値を算出して記憶装置により格納し、前記算出した影響度評価値を記憶装置により読み出して比較し、影響度評価値の小さいシステム拡張シナリオの情報を出力するものである。【選択図】図１
2008003741.tif 000002
【特許請求の範囲】
【請求項１】
情報システムのシステム連携方式を評価する情報システム連携方式評価方法において、
システム拡張のシナリオとしてシステム拡張時のシステム連携方式を示すデータオブジェクトを記憶装置により格納してシナリオツリーを作成し、前記シナリオツリー中のデータオブジェクトに示されたシステム連携方式でシステム拡張を行った場合の影響度評価値を算出して記憶装置により格納し、前記算出した影響度評価値を記憶装置により読み出して比較し、影響度評価値の小さいシステム拡張シナリオの情報を出力することを特徴とする情報システム連携方式評価方法。
【請求項２】
複数の情報システムを連携させる場合の連携方式に応じた設計・実装作業への影響度及び既存システムへの影響度を表す基準値を記憶装置により保持することを特徴とする請求項１に記載された情報システム連携方式評価方法。
【請求項３】
記憶装置内に保持しているシステム連携の設計・実装時の作業影響度を表す基準値と、ユーザが入力したシステム連携の特徴量と組み合わせることで、当該システム連携を設計・実装する際に周囲に与える影響度を数値化して記憶装置により格納することを特徴とする請求項１または請求項２のいずれかに記載された情報システム連携方式評価方法。
【請求項４】
情報システムのシステム連携方式を評価する情報システム連携方式評価装置において、
システム拡張のシナリオとしてシステム拡張時のシステム連携方式を示すデータオブジェクトを記憶装置により格納してシナリオツリーを作成するシナリオツリー作成処理部と、前記シナリオツリー中のデータオブジェクトに示されたシステム連携方式でシステム拡張を行った場合の影響度評価値を算出して記憶装置により格納する影響度評価値算出処理部と、前記算出した影響度評価値を記憶装置により読み出して比較し、影響度評価値の小さいシステム拡張シナリオの情報を出力する影響度評価値比較処理部とを備えることを特徴とする情報システム連携方式評価装置。
【請求項５】
情報システムのシステム連携方式を評価する情報システム連携方式評価方法をコンピュータに実行させる為のプログラムにおいて、
システム拡張のシナリオとしてシステム拡張時のシステム連携方式を示すデータオブジェクトを記憶装置により格納してシナリオツリーを作成し、前記シナリオツリー中のデータオブジェクトに示されたシステム連携方式でシステム拡張を行った場合の影響度評価値を算出して記憶装置により格納し、前記算出した影響度評価値を記憶装置により読み出して比較し、影響度評価値の小さいシステム拡張シナリオの情報を出力する処理をコンピュータに実行させることを特徴とするプログラム。
【発明の詳細な説明】
【技術分野】
【０００１】
本発明は情報システム設計における将来的拡張を検討する際の設計支援を行う情報システム連携方式評価技術に関するものである。
【背景技術】
【０００２】
技術進化やビジネススピードの加速に伴い、企業内の情報システムを新規構築せず、既存の情報システムを組み合わせ、また外部の情報システムを利用する、等の手段を用い、必要なサービスを必要な時に使うというアーキテクチャが主流となりつつある。しかし、各ベンダの情報システム開発方法論はまだこの概念に対応しきれていないのが現状である。
【発明の開示】
【発明が解決しようとする課題】
【０００３】
大規模情報システムの設計構築作業を行う際、将来的なシステム変更や連携システム増加に伴う工数を検討しながら最適なシステムアーキテクチャを設計する必要がある。
【０００４】
これまでの設計作業では、アーキテクト及びSE(System Engineer)の経験と勘に基づき、アーキテクチャ及び方式設計を行っていたが、実際システム稼動後に機能やシステム拡張を行う際、これらの検討が不十分でシステムが停止したり、拡張に大きな工数がかかる等の問題が発生することも多かった。
【０００５】
本発明の目的は上記問題を解決し、システム内にシステム連携設計に関するノウハウを保持し、連携するシステムの特徴量をユーザが入力する手段を提供することで、システム連携設計における属人性を廃し、低コストで安定した情報システム拡張設計を行うことが可能な技術を提供することにある。
【課題を解決するための手段】
【０００６】
本発明は、情報システムのシステム連携方式を評価する情報システム連携方式評価装置において、システム拡張時のシステム連携方式の影響度評価値を算出して当該システム連携方式を評価するものである。
【０００７】
本発明の情報システム連携方式評価装置で、システム連携方式評価ツールの処理を開始してユーザが入力したシステム拡張シナリオを読み込むと、ユーザが入力した連携特性から操作、連携サイクル、連携データ量、拠点間通信有無、データ変換の必要項目数等のデータを取り出した後、その取得したデータをそれぞれ、システム連携方式データ一覧表内の項目毎の条件に当てはめて、それらの条件が真となったシステム連携方式を選出し、シナリオツリーデータオブジェクトのシステム連携方式フィールドへ、前記選出したシステム連携方式名を格納する処理を行って、シナリオツリーを作成する。
【０００８】
次に、本発明の情報システム連携方式評価装置では、前記作成したシナリオツリーデータオブジェクト内の連携方式フィールドのデータを読み込み、その取得した連携方式フィールドのデータをキーとして、対応する工程別影響度基準値データを全て読み込んで、ユーザが入力した連携特性データ内の連携データ量及びデータ変換の必要項目有無パラメータを工程別影響度基準値データに対して乗算し、実際にシステム連携を行った場合の影響度を算出して、その算出した影響度評価値をシナリオツリーデータオブジェクト内の影響度評価値フィールドへ格納する。
【０００９】
その後、本発明の情報システム連携方式評価装置は、影響度基準値を書き込まれたシナリオツリーデータオブジェクトについて、シナリオツリー先端から末端までの全ての経路を走査して、経路上のシナリオツリーデータオブジェクトが保持する影響度評価値の和を計算し、各経路に対する影響度評価値の和を比較して、その和が最も小さい経路を最適なシステム拡張シナリオとして出力装置に表示する。
【００１０】
前記の様に本発明では、これまでのシステム開発工程において検討されてこなかった、運用開始後のシステム改編におけるシステム連携方式選択に着目し、効率的なシステム設計を行うことを実現する手法及びツールであり、少ない工数でシステム稼動後のシステムの品質を確保する為に有用なものである。
【発明の効果】
【００１１】
本発明によれば、システム内にシステム連携設計に関するノウハウを保持し、連携するシステムの特徴量をユーザが入力する手段を提供することで、システム連携設計における属人性を廃し、低コストで安定した情報システム拡張設計を行うことが可能である。
【発明を実施するための最良の形態】
【００１２】
以下に情報システムのシステム連携方式を評価する一実施形態の情報システム連携方式評価装置について説明する。
【００１３】
図１は本実施形態の連携方式評価システムの構成を示す図である。最初に、図１を用いてシステムの詳細な構成を説明する。
【００１４】
ユーザ用クライアント１１００は、情報システム連携方式評価装置のシステム連携方式評価ツール１５００と通信を行う端末であり、ネットワーク１２００によって接続されている。ユーザ用クライアント１１００は、システム連携方式評価ツール１５００と通信を行い、データ入力及び表示業務を行い、システム設計作業を行う端末である。
【００１５】
システム連携方式評価ツール１５００は、ネットワーク１２００経由でシステム設計データ入力を受け付け、内部でデータの処理を行う業務アプリケーションシステムである。ユーザ用クライアント１１００はシステム連携方式評価ツール１５００に対し、情報システムの将来的な拡張スケジュールに関する情報をシステム拡張シナリオ１３００として入力し、また拡張されるシステムの特徴を連携特性１４００として入力する。
【００１６】
ＧＵＩ生成プログラム１５１０、シナリオツリー作成プログラム１５２０、影響度評価値算出プログラム１５３０、影響度評価値比較プログラム１５４０は、システム連携方式評価ツール１５００内で動作するプログラムである。またシステム連携方式候補選出モジュール１５２１は、シナリオツリー作成プログラム１５２０内に内包されるプログラム部品である。
【００１７】
シナリオツリーデータオブジェクト１５５０は、シナリオツリー作成プログラム１５２０によって生成される、システム拡張のシナリオをシナリオツリー（システム拡張時のシナリオ番号やシステム連携方式を示すツリー）で表現するデータオブジェクトである。
【００１８】
システム連携方式評価ツール１５００内のデータベース１５６０は、システム開発工程分類とシステム連携方式の変更パターンの組み合わせに対する工程別影響度基準値１５６１及びシステム連携方式データ一覧表１５６２を内包している。
【００１９】
図９は本実施形態の情報システム連携方式評価装置のハードウェア構成を示す図である。図９に示す様に本実施形態において、シナリオツリー作成処理、影響度評価値算出処理、影響度評価値比較処理を行う各処理部としてコンピュータ（情報システム連携方式評価装置）を機能させる為のシステム連携方式評価ツール１５００のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体からコンピュータにインストールして使用しても良いし、ネットワークを通じて当該記録媒体にアクセスして前記プログラムを使用するものとしても良い。
【００２０】
次に、本願発明においてユーザが情報システムの拡張スケジュールを入力する際に用いられるデータの構造について説明する。
【００２１】
図２は本実施形態のシステム拡張シナリオのデータ構造を示す図である。図２では、本願発明が想定するユーザ用クライアント１１００とシステム連携方式評価ツール１５００との間で送信される、システム拡張シナリオのデータ構造を表している。
【００２２】
システム拡張シナリオ２１００には、情報システム拡張計画内の時系列的な順番を示すシナリオ番号２１１０と、当該シナリオ番号で示されるシステム拡張タイミングで追加される追加システム名２１２０と、既存のシステムと追加されるシステムのシステム間連携方式を示すシステム連携特性番号２１３０が含まれる。なおシステム連携特性番号２１３０に関する詳細は次節に行う。
【００２３】
図３は本実施形態のシステム連携特性のデータ構造を示す図である。図３では、本願発明が想定するユーザ用クライアント１１００とシステム連携方式評価ツール１５００との間で送信される、システム連携特性のデータ構造を表している。
【００２４】
システム連携特性３１００は、システム拡張シナリオ２１００内で指定されたシステム連携特性番号２１３０に対応するシステム連携の詳細な情報を含む。
【００２５】
システム連携特性３１００は、システム連携特性番号３１１０（システム連携特性番号２１３０と対応する）に対する連携元システム名３１２０、連携先システム名３１３０、連携先システムが連携元に対して行う読込み、書込み等の操作名を表す操作３１４０、両システム間で授受されるデータの項目名である連携データ項目名３１５０、及び両システム間の連携に対する要件がリアルタイム性の高いものなのか、バッチ処理で行うことができるのかを示す連携サイクル３１６０、両システム間で授受するデータ量を示す連携データ量３１７０、両システムがファイアウォール等で保護された同一ネットワーク内にあるか、もしくはネットワーク外にあるかを示す拠点間通信の有無３１８０、及び両システム間でデータ授受を行う際、データのフォーマットや形式の変換が必要かどうかを示すデータ変換必要項目の有無３１９０を含む。
【００２６】
図４は本実施形態のシステム連携方式データ一覧表１５６２のデータ構造を示す図である。図４では、本願発明が想定するシステム連携方式評価ツール１５００におけるデータベース１５６０内の、システム連携方式データ一覧表１５６２のデータ構造（サンプル）を表している。
【００２７】
システム連携方式データ一覧表４１００は、一般的にシステム連携を実装する際に用いられる方式一覧であるシステム連携方式４１１０が、実際にどの様な特徴を持つ連携パターンに適切に対応するかを示したものである。
【００２８】
前述の連携パターンに対応するデータとして、システム連携方式データ一覧表４１００は、当該連携方式が読込み、書込みのどちらの操作に適するかを表す操作４１２０、当該連携方式がリアルタイム性の高い連携に最適なものなのか、バッチ処理で行う連携に最適なものなのかを示す連携サイクル４１３０、当該連携方式が無理なく扱うことが可能なデータ項目数を示す連携データ量４１４０、当該連携方式がファイアウォール等で保護された同一ネットワーク内の連携に適するか、もしくはネットワーク外との連携に適するかを示す拠点間通信の有無４１５０、及び当該連携方式が、データのフォーマットや形式の変換が必要な連携に適するかどうかを示すデータ変換必要項目の有無４１６０を含む。
【００２９】
図５は本実施形態のシナリオツリーデータオブジェクトのデータ構造を示す図である。図５では、本願発明が想定するシステム連携方式評価ツール１５００内のメモリ上に展開される、シナリオツリーデータオブジェクトのデータ構造を表している。
【００３０】
シナリオツリーデータオブジェクト５１００は、システム連携方式評価ツール１５００内のメモリ上に複数生成され、それぞれがFromアドレス、及び複数個のToアドレスを保持し、全体としてシステム拡張の全ての可能性を表現するツリー構造となる。
【００３１】
シナリオツリーデータオブジェクト５１００は、オブジェクトに対して一意な通番を格納するアドレスフィールド５１１０、自オブジェクトをToオブジェクトとして示すオブジェクトのアドレスを格納するFromアドレスフィールド５１２０、システム拡張スケジュール内での拡張時期を示すシナリオ番号フィールド５１４０、当該シナリオ番号フィールドで追加されるシステムが実装する連携方式を示す連携方式フィールド５１５０、Fromアドレスフィールド５１２０で示されたシナリオツリーデータオブジェクト内の連携方式から自オブジェクト内で示された連携方式へ実装を変更するに当たり周囲へ与える影響を示す影響度評価値５１３０、及び自オブジェクトの次のシナリオで表現されるシナリオツリーデータオブジェクトを示すToアドレスフィールド５１６０を含む。
【００３２】
図６は本実施形態の工程別影響度基準値１５６１のデータ構造を示す図である。図６では、本願発明が想定するシステム連携方式評価ツール１５００内におけるデータベース１５６０内の、工程別影響度基準値６１００のデータ構造（サンプル）を表している。
【００３３】
工程別影響度基準値とは、情報システム拡張シナリオに基づくシステム追加の際、システム追加前のシステム連携方式及びシステム追加後のシステム連携方式が異なる場合、また新たな連携方式によってシステムを追加する場合の、設計及び開発に要する工数をベースとした影響値を相対的に表したものである。
【００３４】
工程別影響度基準値６１００は、システム追加前連携方式６１３０及びシステム追加後連携方式６１４０を含み、これらの組み合わせに応じた各開発工程毎の影響度基準値を含む。
【００３５】
各開発工程は、主に設計フェーズ６１１０及び開発フェーズ６１２０に分類される。設計フェーズ６１１０は更に連携方式設計６１１１、メッセージ設計６１１２、インタフェース設計６１１３、データ変換ルール設計６１１４、処理フロー設計６１１５、アダプタ設計６１１６を含む。開発フェーズ６１２０は更にデータ変換実装６１２１、処理フロー実装６１２２、アダプタ実装６１２３、単体テスト６１２４を含む。
【００３６】
図７は本実施形態のシナリオツリー作成プログラム１５２０の処理手順を示すフローチャートである。図７では、本実施形態において、ユーザがクライアントから入力したシステム拡張シナリオ及びシステム連携特性データを取得したシステム連携方式評価ツールがシナリオツリーを作成する処理をシナリオツリー作成プログラム１５２０が行う際の処理フローを表している。
【００３７】
ステップ７１００において、シナリオツリー作成プログラム１５２０は、ユーザが入力し、ネットワーク１２００を介して通信装置により受信してメモリや磁気ディスク装置等の記憶装置に格納しておいたシステム拡張シナリオ１３００を記憶装置により読み込む。
【００３８】
ステップ７２００において、シナリオツリー作成プログラム１５２０は、プログラム内で使用するメモリ上のローカル変数mとnにそれぞれ、m=1、n=1をセットする。
【００３９】
ステップ７３００において、シナリオツリー作成プログラム１５２０は、ステップ７１００で読み込んだシステム拡張シナリオの内、シナリオ番号がnの値と等しいシナリオを読み込み、そのデータからシステム連携特性番号を読み込む。更にシナリオツリー作成プログラム１５２０は、内部でシステム連携方式候補選出モジュール１５２１を呼び出す。
【００４０】
呼び出されたシステム連携方式候補選出モジュール１５２１の一連の処理シーケンスを７４００として説明する。
【００４１】
ステップ７４１０において、システム連携方式候補選出モジュール１５２１は、ユーザが入力した連携特性１４００の内、ステップ７３００で読み込んだ連携特性番号に対する操作、連携サイクル、連携データ量、拠点間通信有無、データ変換の必要項目数を取り出す。
【００４２】
ステップ７４２０において、システム連携方式候補選出モジュール１５２１は、ステップ７４１０において取得したデータをそれぞれ、システム連携方式データ一覧表１５６２内の項目毎の条件に当てはめる。このステップの結果、全条件が真となったシステム連携方式を選出する。
【００４３】
ステップ７４３０において、システム連携方式候補選出モジュール１５２１は、シナリオツリーデータオブジェクトをメモリ上に生成し、シナリオ番号フィールドにnの値、アドレスフィールドへmの値を代入し、またシステム連携方式フィールドへ、ステップ７４２０において選出したシステム連携方式名を格納する。Fromアドレスフィールドには、ツリーの親になるシナリオツリーデータオブジェクトのアドレスを格納し、同時に親オブジェクトのToアドレスフィールドに自オブジェクトのアドレスを格納する。
【００４４】
ステップ７４４０において、システム連携方式候補選出モジュール１５２１は、ローカル変数mの値をインクリメントする。
【００４５】
ステップ７４５０において、システム連携方式候補選出モジュール１５２１は、ステップ７４２０で選出された全てのシステム連携方式に対してシナリオツリーデータオブジェクトが生成されたかどうかをチェックし、もしされていなかった場合はステップ７４３０へ処理を遷移する。もしされていた場合、システム連携方式候補選出モジュール１５２１は、処理をシナリオツリー作成プログラム１５２０へ返す。
【００４６】
ステップ７５００において、シナリオツリー作成プログラム１５２０はローカル変数nの値をインクリメントする。
【００４７】
ステップ７６００において、シナリオツリー作成プログラム１５２０はシナリオ拡張シナリオを参照し、シナリオ番号がnであるシナリオがないことを確認する。もしなかった場合には処理を終了するが、あった場合にはステップ７３００に処理を遷移する。
【００４８】
図８は本実施形態の影響度評価値算出プログラム１５３０及び影響度評価値比較プログラム１５４０の処理手順を示すフローチャートである。図８では、本実施形態において、シナリオツリー作成プログラム１５２０が作成したシナリオツリーに対し、影響度評価値算出プログラム１５３０及び影響度評価値比較プログラム１５４０が処理を行い、最適なシステム拡張シナリオを導出する際の処理フローを表している。
【００４９】
８１００は影響度評価値算出プログラム１５３０が行う処理を示した部分である。
【００５０】
ステップ８１１０で、影響度評価値算出プログラム１５３０は、ローカル変数m=0と設定する。
【００５１】
ステップ８１２０で、影響度評価値算出プログラム１５３０は、アドレスフィールドの値がmの値と一致するシナリオツリーデータオブジェクト内のToアドレスフィールドに他のオブジェクトのアドレスが格納されているかどうかを確認する。確認の結果、Toアドレスフィールドに他のオブジェクトのアドレスが格納されている場合、当該シナリオツリーデータオブジェクトがシナリオツリーの末端ではないと判断し、ステップ８１３０へ処理を遷移する。Toアドレスフィールドに他のオブジェクトのアドレスが格納されていなかった場合、当該シナリオツリーデータオブジェクトがシナリオツリーの末端であると判断し、ステップ８１８０へ遷移する。
【００５２】
ステップ８１３０で、影響度評価値算出プログラム１５３０は、シナリオツリーデータオブジェクト内の連携方式フィールド及びToアドレスフィールドのデータを読み込む。
【００５３】
ステップ８１４０で、影響度評価値算出プログラム１５３０は、Toアドレスフィールドが指すアドレスを持つシナリオツリーデータオブジェクトへアクセスし、当該オブジェクト内の連携方式フィールドのデータを読み込む。
【００５４】
ステップ８１５０において、影響度評価値算出プログラム１５３０はデータベース１５６０へアクセスし、ステップ８１３０及びステップ８１４０で取得した連携方式フィールドのデータをキーとし、対応する工程別影響度基準値データを全て読み込む。
【００５５】
ステップ８１６０において、影響度評価値算出プログラム１５３０は、ユーザが入力した連携特性データ内の連携データ量及びデータ変換の必要項目有無パラメータを用いて工程別影響度基準値データに対する乗算を行い、実際にシステム連携を行った場合の影響度を算出する。すなわち、連携データ量と基準値の積を各基準値毎に求めた後、それらの総和を算出して影響度評価値とする。その際、データ変換ルール設計とデータ変換実装については、データ変換の必要項目有無パラメータが「有」の場合にのみ連携データ量との積の算出を行う。
【００５６】
ステップ８１７０において、影響度評価値算出プログラム１５３０は、ステップ８１６０において算出した影響度評価値を、Toアドレスフィールドが示すシナリオツリーデータオブジェクト内の影響度評価値フィールドへ格納する。
【００５７】
ステップ８１８０において、影響度評価値算出プログラム１５３０は、ローカル変数mの値をインクリメントする。
【００５８】
ステップ８１９０において、影響度評価値算出プログラム１５３０はアドレスフィールドの値がmの値と一致するシナリオツリーデータオブジェクトが存在しないことを確認する。もし存在する場合は、当該シナリオツリーデータオブジェクトがシナリオツリーの末端ではなく、同一シナリオ番号を持つ他シナリオツリーデータオブジェクトもないと判断し、ステップ８１２０へ遷移する。存在しない場合は影響度評価値比較プログラム１５４０を呼び出す。
【００５９】
８２００は、影響度評価値比較プログラム１５４０が行う処理を示した部分である。
影響度評価値比較プログラム１５４０は、影響度評価値算出プログラム１５３０によって影響度基準値を書き込まれたシナリオツリーデータオブジェクト群を受け取り、ステップ８２１０を実施する。
【００６０】
ステップ８２１０で、影響度評価値比較プログラム１５４０は、シナリオ番号フィールドの値が1のシナリオツリーデータオブジェクトからシナリオツリー末端のシナリオツリーデータオブジェクトまでの全ての経路を走査し、経路上のシナリオツリーデータオブジェクトが保持する影響度評価値の和を計算し、各経路に対する影響度評価値の和を比較して、その和が最も小さい経路を最適なシステム拡張シナリオとして通信装置によりクライアント１１００へ送信してユーザ側の出力装置に表示する。
【００６１】
以上説明した様に本実施形態の情報システム連携方式評価装置によれば、システム拡張時のシステム連携方式の影響度評価値を算出して当該システム連携方式を評価するので、システム内にシステム連携設計に関するノウハウを保持し、連携するシステムの特徴量をユーザが入力する手段を提供することで、システム連携設計における属人性を廃し、低コストで安定した情報システム拡張設計を行うことが可能である。
【産業上の利用可能性】
【００６２】
本発明は、システム設計者が、将来的な拡張性を重視するシステム設計を行いたい際に用いる設計支援ツールとして利用できる。
【図面の簡単な説明】
【００６３】
【図１】本実施形態の連携方式評価システムの構成を示す図である。
【図２】本実施形態のシステム拡張シナリオのデータ構造を示す図である。
【図３】本実施形態のシステム連携特性のデータ構造を示す図である。
【図４】本実施形態のシステム連携方式データ一覧表１５６２のデータ構造を示す図である。
【図５】本実施形態のシナリオツリーデータオブジェクトのデータ構造を示す図である。
【図６】本実施形態の工程別影響度基準値１５６１のデータ構造を示す図である。
【図７】本実施形態のシナリオツリー作成プログラム１５２０の処理手順を示すフローチャートである。
【図８】本実施形態の影響度評価値算出プログラム１５３０及び影響度評価値比較プログラム１５４０の処理手順を示すフローチャートである。
【図９】本実施形態の情報システム連携方式評価装置のハードウェア構成を示す図である。
【符号の説明】
【００６４】
１１００…クライアント、１２００…ネットワーク、１３００…システム拡張シナリオ、１４００…連携特性、１５００…システム連携方式評価ツール、１５１０…ＧＵＩ生成プログラム、１５２０…シナリオツリー作成プログラム、１５２１…システム連携方式候補選出モジュール、１５３０…影響度評価値算出プログラム、１５４０…影響度評価値比較プログラム、１５５０…シナリオツリーデータオブジェクト、１５６０…データベース、１５６１…工程別影響度基準値、１５６２…システム連携方式データ一覧表、２１００…システム拡張シナリオ、２１１０…シナリオ番号、２１２０…追加システム名、２１３０…システム連携特性番号、３１００…システム連携特性、３１１０…システム連携特性番号、３１２０…連携元システム名、３１３０…連携先システム名、３１４０…操作、３１５０…連携データ項目名、３１６０…連携サイクル、３１７０…連携データ量、３１８０…拠点間通信の有無、３１９０…データ変換必要項目の有無、４１００…システム連携方式データ一覧表、４１１０…システム連携方式、４１２０…操作、４１３０…連携サイクル、４１４０…連携データ量、４１５０…拠点間通信の有無、４１６０…データ変換必要項目の有無、５１００…シナリオツリーデータオブジェクト、５１１０…アドレスフィールド、５１２０…アドレスフィールド、５１３０…影響度評価値、５１４０…シナリオ番号フィールド、５１５０…連携方式フィールド、５１６０…アドレスフィールド、６１００…工程別影響度基準値、６１１０…設計フェーズ、６１１１…連携方式設計、６１１２…メッセージ設計、６１１３…インタフェース設計、６１１４…データ変換ルール設計、６１１５…処理フロー設計、６１１６…アダプタ設計、６１２０…開発フェーズ、６１２１…データ変換実装、６１２２…処理フロー実装、６１２３…アダプタ実装、６１２４…単体テスト、６１３０…システム追加前連携方式、６１４０…システム追加後連携方式、８１００…影響度評価値算出プログラムの処理部分、８２００…影響度評価値比較プログラムの処理部分。
【図１】
2008003741.tif 000003
【図２】
2008003741.tif 000004
【図３】
2008003741.tif 000005
【図４】
2008003741.tif 000006
【図５】
2008003741.tif 000007
【図６】
2008003741.tif 000008
【図７】
2008003741.tif 000009
【図８】
2008003741.tif 000010
【図９】
2008003741.tif 000011